【事件の表示】
　特願２０００−２２２１３１号「ベッド等におけるキャスタ装置」拒絶査定不服審判事件〔平成１４年　２月　５日出願公開、特開２００２−　３５０５３号〕について、次のとおり審決する。
【結　論】
　本件審判の請求は、成り立たない。
【理　由】
第１　手続の経緯
　本願は、平成１２年７月２４日の出願であって、平成１６年５月１３日付けで拒絶査定がなされ、これに対して、平成１６年５月２１日に拒絶査定不服審判の請求がなされるとともに、同日受付で手続補正がなされたものである。
　
第２　平成１６年５月２１日受付の手続補正についての補正却下の決定
【結論】
　平成１６年５月２１日受付の手続補正（以下、「本件補正」という。）を却下する。
【理由】
１　補正の内容
　本件補正は、平成１５年１月３１日受付の手続補正書により補正された請求項１の、
「ベッド等のメインフレームおよび床部を支える基部フレーム両端に、キャスタ取付本体と、このキャスタ取付本体に旋回手段を介して旋回可能に連結した、車輪を保持するヨークとを有し、前記キャスタ取付本体を、前記メインフレームおよび床部を支える基部フレームに、キャスタ取付本体と一体的に構成した支持腕を介して取り付けるようにし、この支持腕を上に凸状の湾曲形状として、前記基部フレームとの取り付け箇所の位置が、少なくとも前記キャスタ取付本体の高さ位置より低くなるようにしたことを特徴とするベッド等におけるキャスタ取付手段。」を、
「キャップ形状のキャスタ取付本体と、このキャスタ取付本体下部に旋回可能に連結した、車輪を保持するヨークとを有し、前記キャスタ取付本体側部側に一体構成した取付部材を、前記車輪の位置まで車輪に沿って下降湾曲形成し、前記取付部材の一端側には、ベッド等のメインフレームおよび床部を支える基部フレームを装着するようにしたことを特徴とするベッド等におけるキャスタ装置。」
と補正するものである。
　
２　補正の目的の適否
　上記本件補正は、補正事項として、「この支持腕を上に凸状の湾曲形状として、前記基部フレームとの取り付け箇所の位置が、少なくとも前記キャスタ取付本体の高さ位置より低くなるようにした」を「取付部材を、前記車輪の位置まで車輪に沿って下降湾曲形成し、前記取付部材の一端側には、ベッド等のメインフレームおよび床部を支える基部フレームを装着するようにした」と補正することを含むものである。
　ところで、この補正事項において、本件補正前の発明特定事項は、支持腕の基部フレームとの取り付け箇所の位置がキャスタ取付本体の高さ位置より低くなるようにするものであるが、本件補正後の発明特定事項は、取付部材（支持腕）を、車輪の位置まで下降湾曲形成し、その取付部材（支持腕）の一端に基部フレームを装着するものであり、取付部材（支持腕）の基部フレームとの取り付け箇所の位置が車輪の位置となるようにするものである。そして、車輪の位置は、キャスタ取付本体の長さ、及び車輪の大きさによってはキャスタ取付本体の高さ位置と同じになる場合もあり、「取付部材を、前記車輪の位置まで車輪に沿って下降湾曲形成し、前記取付部材の一端側には、…基部フレームを装着するようにした」は、取付部材（支持腕）の基部フレームとの取り付け箇所の位置がキャスタ取付本体の高さ位置と同じになるものも含むことになる。
　したがって、上記本件補正の補正事項は、特許請求の範囲の減縮を目的とするものとは認められない。
　また、本件補正後の「キャスタ装置」は、本件補正前の「基部フレーム両端に」の「両端に」、及び「旋回手段を介して旋回可能に連結した」の「旋回手段を介して」に相当する発明特定事項を欠いている。
　よって、本件補正は、特許請求の範囲の減縮を目的とするものではなく、また、誤記の訂正、明りょうでない記載の釈明を目的とするものでもない。
　
３　むすび
　以上のとおりであるから、本件補正は、特許法第１７条の２第４項の規定に違反するので、特許法第１５９条第１項において準用する特許法第５３条第１項の規定により却下されるべきものである。
　
第３　本願発明
　本件補正は上記のとおり却下されたので、本願の請求項１に係る発明（以下、「本願発明」という。）は、平成１５年１月３１日受付の手続補正書により補正された明細書及び図面の記載からみて、その特許請求の範囲の請求項１に記載された事項により特定される次のとおりのものである。
「ベッド等のメインフレームおよび床部を支える基部フレーム両端に、キャスタ取付本体と、このキャスタ取付本体に旋回手段を介して旋回可能に連結した、車輪を保持するヨークとを有し、前記キャスタ取付本体を、前記メインフレームおよび床部を支える基部フレームに、キャスタ取付本体と一体的に構成した支持腕を介して取り付けるようにし、この支持腕を上に凸状の湾曲形状として、前記基部フレームとの取り付け箇所の位置が、少なくとも前記キャスタ取付本体の高さ位置より低くなるようにしたことを特徴とするベッド等におけるキャスタ取付手段。」
　
第４　引用刊行物
　原査定の拒絶の理由に引用された、特開平９−２４０２０４号公報（以下、「引用刊行物」という。）には次の事項が図面とともに記載されている。
　
１　「水平に延びて先端が開口する筒状の脚台部を有するキャスタ被取付体の脚部と、
　上記脚台部に嵌合され、この嵌合位置で着脱可能に脚台部に固定される取付ボックスと、
　該取付ボックスの先端に連接すると共に下向きに垂下する柱状部と、
　該柱状部に旋回自在に取り付けられた支持ヨークと、該支持ヨークに軸支された車輪とからなることを特徴とする脚部のキャスタ構造。」（【特許請求の範囲】の【請求項１】）
２　「【発明の属する技術分野】この発明は、ベッド等の寝具や、家具などのキャスタ被取付体の脚部から水平に延びた筒状の脚台部に嵌め込んで一体にキャスタを形成するようにした脚部のキャスター構造に関する。」（段落【０００１】）
３　「【発明の実施の形態】以下に、この発明の脚部のキャスタ構造の好適実施例について図面を参照しつつ説明する。ここで、図１ないし図３は第１の実施態様を示すものであって、図１は要部を断面で示す一部切欠側面図、図２はその平面図、図３はその斜視図である。この第１の実施態様に係わるこの発明のキャスタ１は、大略的にキャスタ本体２と、柱状のキャスタ本体取付部３と、取付ボックス４とから構成されている。（段落【０００５】）
４　「キャスタ本体２は主として支持ヨーク５の先端に回転自在に軸支された車輪６と、支持ヨーク５の基端に固定された取付軸７とからなっている。図示例で支持ヨークはカバー状からなって車輪６の側面を覆うサイドプレート部９を有している。なお、取付軸７は上部に環状溝７ａが設けられていて、これにより後述のようにキャスタ本体取付部３に軸心に設けられた円筒状軸受部１０からの抜け防止が図られている。」（段落【０００６】）
５　「柱状部の一例として示すキャスタ本体取付部３は下端部が円筒状をなし、その中心に円筒状軸受部１０が上方に向けて突設されている。この円筒状軸受部１０の周壁面には放射状に複数の補強リブ１０ａが突出している。」（段落【０００７】）
６　「この円筒状軸受部１０はキャスタ本体２の取付軸７を回転自在に嵌挿させる円筒内壁面を有するとともに、取付軸７の環状溝７ａと合致する部分に張出し部（図示しない）が形成されていて、これが取付軸７の環状溝７ａと合致することにより、取付軸７の抜け防止が図られている。さらに円筒状軸受部１０の円筒内部天井にはボール１２が回転自在に遊嵌されていて、取付軸７の頭部上面と当接し取付軸７の円滑な自転を図っている。」（段落【０００８】）
７　「このキャスタ本体取付部３の一側は円筒状軸受部１０と平行に壁面１１が形成されていて、その中心部はウェブ（図示せず）を介す等して円筒状軸受部１０を形成している。取付ボックス４は有底の箱状をなし、キャスタ本体取付部３の一側に形成された壁面１１から垂直に直交し（円筒状軸受部１０の長手方向に対し垂直方向に）延出している。」（段落【０００９】）
８　「取付ボックス４の底面には内壁面にネジ溝を有する固定用筒状体１５が一対、上向きに突設されている。この固定用筒状体１５は被取着部材、すなわち脚柱から水平に延びた脚台部先端１４の開口に取付ボックス４を固定するためのもので、取付ボックス４を脚部先端１４に嵌挿させたのち、脚台部先端１４の底面に穿設された一対の孔部１４Ａと整合し連通させ、ボルトなどをネジ止めして脚部先端１４に締付け固定されるようになっている。なお、図中１６は円筒状軸受部１０部分を覆って脚台部１４と一連に連接され下方へ延出する柱状部である。」（段落【００１０】）
９　「この構成からなるキャスタによれば、円筒状軸受部１０内にて取付軸７が自由に回転可能となっていて、これによりキャスタ本体２を任意の方向に向けて走行させることができる。また、この構成からなるキャスタによれば、キャスタの装着が取付ボックス４を脚柱から水平に延びた脚部先端１４に単に嵌挿させて固定されるものであるから、取付が簡単であり、かつ、キャスタ取付部が大規模になったり、機構的に複雑となったりすることがなく、体裁的に極めて好ましいものとなる。」（段落【００１１】）
１０　図１には、先端に車輪６を保持し基端に取付軸７を固定した支持ヨーク５と、支持ヨーク５の取付軸７を嵌挿した円筒状軸受け部１０を備えたキャスタ本体取付部３と、キャスタ本体取付部３の壁面１１から垂直に直交し延出した取付ボックス４と、取付ボックス４に嵌挿して固定する脚部先端１４が、図示されている。
　
　したがって、上記の記載事項及び図示内容からみて、引用刊行物には、次の発明（以下、「引用発明」という。）が記載されていると認められる。
「円筒状軸受部１０を備えたキャスタ本体取付部３と、先端に車輪６を保持し、基端に取付軸７を固定した支持ヨーク５とを有し、このキャスタ本体取付部３の円筒状軸受部１０に、支持ヨーク５の取付軸７を回転自在に嵌挿し、キャスタ本体取付部３に支持ヨーク５を円筒状軸受部１０を介して旋回可能に連結し、キャスタ本体取付部３の壁面１１には、取付ボックス４を垂直に直交し延出し、この取付ボックス４に、水平に延びて先端が開口する脚部の脚部先端１４を嵌挿して固定して、キャスタ本体取付部３を、脚部に、取付ボックス４を介して取り付けたベッド等の脚部のキャスター取付構造。」
　
第５　対比
　本願発明と引用発明とを比較する。
　引用発明における「キャスタ本体取付部３」は、その機能・構造等からみて、本願発明における「キャスタ取付本体」に相当し、以下同様に、「円筒状軸受部１０」は「旋回手段」に、「車輪６」は「車輪」に、「支持ヨーク５」は「ヨーク」に、「ベッド等の脚部のキャスター取付構造」は「ベッド等におけるキャスタ取付手段」に各々相当する。また、引用発明の「取付ボックス４」は、キャスタ本体取付部３の壁面１１に垂直に直交し延出しているから、本願発明の「キャスタ取付本体と一体的に構成した支持腕」であるといえる。更に、引用発明の「脚部」と本願発明の「基部フレーム」は、ベッド等のフレームである点で共通する。
　
　してみれば、両者は、
「キャスタ取付本体と、このキャスタ取付本体に旋回手段を介して旋回可能に連結した、車輪を保持するヨークとを有し、前記キャスタ取付本体を、ベッド等のフレームに、キャスタ取付本体と一体的に構成した支持腕を介して取り付けるようにしたベッド等におけるキャスタ取付手段。」
である点で一致し、次の点で相違する。
　
＜相違点１＞
　本願発明は、「ベッド等のメインフレームおよび床部を支える基部フレーム」を備え、「基部フレーム両端」に、キャスタ取付本体とヨークとを有しているのに対して、引用発明は、「ベッド等のメインフレームおよび床部を支える基部フレーム」を備えているか否か明確でなく、また、その「両端」にキャスタ取付本体等を有しているか否かついても明確でない点。
＜相違点２＞
　支持腕に関し、本願発明は、「上に凸状の湾曲形状として、基部フレームとの取り付け箇所の位置が、少なくともキャスタ取付本体の高さ位置より低くなるようにした」のに対して、引用発明は、そのような発明特定事項とはなっていない点。
　
第６　当審の判断
　上記相違点１、２について以下検討する。
１　相違点１について、
　ベッドにおいて、メインフレームおよび床部を支える基部フレームを有し、基部フレーム両端にキャスタを取り付けるようにすることは、周知の技術である（例えば、特開平８−２４３１２５号公報参照）。
　したがって、本願発明の上記相違点１に係る発明特定事項は、引用発明及び上記周知の技術から当業者が容易に想到し得たことである。
２　相違点２について、
　キャスタを備えたベッドにおいて、基部フレームのキャスタとの取り付け箇所とベッド等の支持部分との間を湾曲形状としたり、傾斜形状として、基部フレームのベッド等の支持部分の位置を、キャスタとの取り付け箇所の位置よりも低くすることは周知の技術である（例えば、特開平８−２４３１２５号公報、実用新案登録第２５５１３６０号公報参照）。
　したがって、キャスタ本体を支持腕を介して基部フレームに取り付けるようにしたものにおいて、基部フレームをキャスタ取付本体の高さ位置より低くすることは当業者が容易に想到し得たことであり、そして、その際、支持腕をどの様な形状にするかは当業者が適宜決めることであるから、支持腕を上に凸状の湾曲形状とすることも当業者が適宜なし得た設計的事項である。
　よって、支持腕を上に凸状の湾曲形状として、本願発明の相違点２に係る発明特定事項とすることは、引用発明及び上記周知の技術から当業者が容易に想到し得たことである。
　
　そして、上記相違点１、２によって奏する作用、効果も、引用発明及び上記周知の技術から予測される範囲のものであって、格別なものではない。
　
第７　むすび
　以上のとおり、本願発明は、引用発明及び上記周知の技術に基いて、当業者が容易に発明をすることができたものであるから、特許法第２９条第２項の規定により特許を受けることができない。
　よって、結論のとおり審決する。